(57)【特許請求の範囲】
【請求項１】
管状の円筒部材と該円筒部材の内周に配置される断面が波山状のコルゲイト管とのシール部に介装する弾性シールパッキンにおいて、
コルゲイト管の外周波山凹部の両側凸肩面に当接する肩当接面とコルゲイト管の波山凹部底面と隙間を有す内面と前記円筒部材の内周面に当接する外面とを有す環状部と、該環状部が前記コルゲイト管の外周波山凹部に複数条装着した状態で該環状部同士がコルゲイト管の波山凸部外面で連結された連結部とからなることを特徴とするコルゲイト管用シールパッキン。
【請求項２】
前記連結部の内周面は、前記コルゲイト管の波山凸部外面に当接することを特徴とする請求項１記載のコルゲイト管用シールパッキン。
【請求項３】
前記連結部の外周面は、前記円筒部材の内周面と隙間を有していることを特徴とする請求項１乃至２記載のコルゲイト管用シールパッキン。
【請求項４】
前記環状部はコルゲイト管の外周波山凹部の隣同士、または波山凹部を超えて間隔を空けて装着されていることを特徴とする請求項１乃至３記載のコルゲイト管用シールパッキン。
【発明の詳細な説明】
【０００１】
【発明の属する技術分野】
本発明は、管状の円筒部材と該円筒部材の内周に配置される断面が波山状のコルゲイト管とをシールするのに介装する弾性部材で形成したシールパッキンに関するものである。
【０００２】
【従来の技術】
通常、上記円筒部材内に挿入したコルゲイト管との密封シールは、コルゲイト管の波山凹部にＯリングを装着して、これを円筒部材内に挿入し、円筒部材とコルゲイト管とをシールしている。
【０００３】
【発明が解決しようとする課題】
この様にコルゲイト管の波山凹部にＯリングを装着して円筒部材とコルゲイト管とのシールに使用した場合、通常コルゲイト管は可撓性を有するため、円筒部材内にコルゲイト管を挿入した状態でこのシール部が曲げられると、コルゲイト管の曲げ半径の外周側ではコルゲイト管が引っ張られてコルゲイト管の波山凹部間が広がり、曲げ半径の内周側では反対にコルゲイト管が圧縮されてコルゲイト管の波山凹部間が狭められる。
【０００４】
このためコルゲイト管の波山凹部に装着したシール用Ｏリングが、特に曲げ半径の外周側で波山凹部内に入り込んでしまい、円筒部材内周面と接触できなくなって使用中にシールが行われなくなる問題があった。
この状況を改善するためにはＯリングの太さを大きくすることも考えられるが、Ｏリングを太くすると円筒部材への挿入が困難になったり、また無理に挿入するとコルゲイト管の外周波山形状が崩れてしまい、良好なシール性が得られない問題があった。
本発明は上記の課題を克服して、配管時に円筒部材内にコルゲイト管を挿入しやすく、しかも使用中にシール部が曲げられてもシール性が確保されるコルゲイト管用シールパッキンを提供する。
【０００５】
【課題を解決するための手段】
本発明の要旨は、管状の円筒部材と該円筒部材の内周に配置される断面が波山状のコルゲイト管とのシール部に介装する弾性シールパッキンにおいて、
コルゲイト管の外周波山凹部の両側凸肩面に当接する肩当接面とコルゲイト管の波山凹部底面と隙間を有す内面と前記円筒部材の内周面に当接する外面とを有す環状部と、該環状部が前記コルゲイト管の外周波山凹部に複数条装着した状態で該環状部同士がコルゲイト管の波山凸部外面で連結された連結部とからなることを特徴とするコルゲイト管用シールパッキンである。
【０００６】
上記において連結部の内周面は、前記コルゲイト管の波山凸部外面に当接することを特徴とするコルゲイト管用シールパッキンである。
また上記において連結部の外周面は前記円筒部材の内周面と隙間を有していることを特徴とするコルゲイト管用シールパッキンである。
また上記において前記環状部は、コルゲイト管の外周波山凹部の隣同士、または波山凹部を超えて間隔を空けて装着されていてもよいコルゲイト管用シールパッキンである。
【０００７】
【作用】
本発明のコルゲイト管用シールパッキンは上記の構成であって通常は、円筒部材の内周面に当接して、この当接によって圧縮を受ける圧縮力は内周方向へ逃げ、内面が波山凹部の底面と隙間を有しているので、内周方向に逃げた分の弾性回復力でコルゲイト管の波山両肩部と円筒部材の内周面とに適度な当接圧縮力を付与してシールされる。
【０００８】
またこのシール部で両管が曲げられた場合、曲げ半径の外周側では波山凹部間が広げられるが、パッキンの環状部と環状部間にはこれを連結する連結部があるので、連結部の内面が波山凸部に当接して支持され、環状部が波山凹部内に入り込んでしまうのが防止される。このため円筒部材内面とコルゲイト管とのシール状態が保たれ、また環状部がコルゲイト管の波山凹部底面に深く入り込むのが防止されるので波山形状が崩れるのが防止され、従って良好なシール状態が維持される。
連結部の内面がコルゲイト管の波山外面に当接した連結部とすることによって常に円筒部材内面とコルゲイト管外面との良好なシール性が維持される。
連結部の外周面が円筒部材の内周面と隙間を有していることによって、円筒部材の内周面と確実に当接し、またこの隙間によって過度なパッキンの圧縮が防止される。
【０００９】
また円筒部材２０内でコルゲイト管３０が軸線方向に移動しても、パッキンの環状部１４同士が連結部で連結されているので、環状部１４がコルゲイト管３０の波山凹部内で回転せず、またコルゲイト管３０に引張り応力が作用しても波山凹部に装着した環状部１４が連結部１５で連結されているので、パッキン装着部では波山凹部の変形が生じにくく、パッキン装着部以外の個所で生じて良好なシール性が得られる。
【００１０】
【発明の実施形態】
図１は本発明の一実施例のコルゲイト管用シールパッキン１０の自由状態を示す図で、図２はこのパッキン１０を円筒部材２０とコルゲイト管３０との間に装着した状態を示す部分断面図である。
シールパッキンの自由状態を示す図１において、パッキン１０の外面１１の外径寸法Ｄは、使用する円筒部材２０の内周面２１の径より大きく設定してあり、実施例では円筒部材２０の内径寸法３４ｍｍに対して、パッキン外径の圧縮代を見込んでパッキンの外径Ｄを３６ｍｍに設けてある。
【００１１】
また自由状態でのパッキン内面１２の内径寸法ｄは、コルゲイト管３０の波山凹部底面３１径の寸法より大きく、隙間Ｔを有すように設けてあり、実施例ではコルゲイト管波山底面寸法に対して２ｍｍ大径にして、半径方向で１ｍｍのパッキン逃げ代Ｔを設けてある
この内面１２から扇状に広がってコルゲイト管３０の波山凸部両肩部３２に当接する肩当接面１３を設け、環状部１４を形成している。
本実施例ではこの環状部１４を隣同士の波山凹部内に入るように４条設け、この環状部１４同士を互いに連結部１５で連結してある。本実施例では連結部１５が帯状で、連結部１５の外面は円筒部材２０の内周面２１と隙間Ｓを有す寸法に設け、内面はコルゲイト管３０の外面に当接する様にコルゲイト管３０の波山凸部外面と同じ内周面形状に設けてある。
尚、環状部１４は隣同士の波山凹部に入ってなくても、複数の波山凹部に入っていればよく、例えば１凹部飛び或いは２凹部飛びの波山凹部にパッキンの環状部１４が装着されて連結部１５で連結されていてもよい。
【００１２】
コルゲイト管３０にシールパッキン１０を装着した状態で円筒部材２０内周面に挿入すると、パッキン１０外面が円筒部材２０の内周面に当接して圧縮される。この圧縮力によってパッキン１０は、コルゲイト管３０の波山凹部の底面と間の隙間Ｔへ逃げ、図１から図２のように変形する。この隙間Ｔへ逃げた分のパッキンの弾性復元力が図示矢印のごとく外径方向に作用し、円筒部材２０の内周面２１に作用する。このためパッキン１０は適度な弾性変形による弾性復元力で円筒部材の内周面２１とコルゲイト管３０の波山両肩部３２とに圧縮力を付与し、長期に渡ってシールパッキンの寿命が確保され、安定したシール性が得られる。また過度な圧縮力が生じないので、コルゲイト管の波山形状が変形しない。
【００１３】
またこの状態でシール部が曲げられた場合でも、曲げ半径の外周側ではコルゲイト管３０の波山凹部間が広げられるが、パッキン１０の環状部１４を連結する連結部１５があるので、波山凹部内底面に深くパッキンの環状部１４が入り込んでしまわない。
また連結部１５の外面が円筒部材の内周面と隙間Ｓを有しているので、曲げ半径の内周側でも連結部１５の圧縮力がこの隙間Ｓへ逃げて適度な圧縮力を保持し、このため円筒部材２０内面とコルゲイト管３０とのシール状態が保たれ、パッキンの過度の圧縮が防止されるので、コルゲイト管３０の波山形状が崩れるのが防止され、良好なシール状態が維持される。
【００１４】
また円筒部材２０内でコルゲイト管３０が軸線方向に移動しても、連結部１５でパッキンの環状部１５が連結されているので、パッキンの環状部１４がコルゲイト管３０の波山凹部内で回転せず、またコルゲイト管３０に引張り応力が作用しても波山凹部に装着した環状部１４が連結部で連結されているので、コルゲイト管波山凹部の変形がシール部以外の個所で生じたとしても、パッキン１０が装着されたシール部での波山凹部の変形が生じ難く、良好なシール性が得られる。
また連結部１５の内面がコルゲイト管３０の波山外面に当接しているため、コルゲイト管３０の外周面でも常時当接して更に良好なシール性が維持される。
【００１５】
【発明の効果】
以上説明のごとく、本発明のコルゲイト管用シールパッキンは、コルゲイト管と円筒部材とをシールするパッキンとして常に適度な圧縮力でシールしてコルゲイト管の波山形状を変形させず、使用状態で曲げや軸線方向の変形があっても安定したシール状態を維持し、長期に渡って良好なシール性を有するものである。
【図面の簡単な説明】
【図１】  本発明の一実施例を示すコルゲイト管用シールパッキンの部分断面図である。
【図２】  本発明の一実施例を示す円筒部材とコルゲイト管とに介装したシール状態を示す部分断面図である。
【符号の説明】
１０  コルゲイト管用シールパッキン
１１  パッキンの外面
１２  パッキンの内面
１３  肩当接面
１４  環状部
１５  連結部
２０  円筒部材
２１  円筒部材の内周面
３０  コルゲイト管
３１  コルゲイト管の波山凹部底面
３２  コルゲイト管の波山凹部肩部
【図１】
0004222530.tif 000002
【図２】
0004222530.tif 000003